(57)【特許請求の範囲】
【請求項１】
機器外枠の下部に上下方向に移動可能に配設され、下方に接地部を形成し上方に外周にネジ等の凹凸部を設けた摺動軸部を形成した脚と、該脚の上下方向への移動をロック（阻止）する手段と、そのロックを解除する手段とを備えた調整脚において、前記脚の摺動軸部を、ポリカーボネート等の機械的強度を有する樹脂にて外周部を構成するとともに芯材として長尺状の金属シャフトを圧入し、収納した構成とし、
前記脚の上下方向への移動を阻止する手段は、脚の摺動軸部を軸支孔に挿通させる取付用ケースと、前記脚の摺動軸部の凹凸部と係合する凹凸部を複数段備えたロックピースと、前記脚の摺動軸部の凹凸部とロックピースの凹凸部との係合を維持する手段とからなり、
前記ロックピースは、回動支点の中心を前記摺動軸部の中心からずらして前記取付用ケース内に回転可能に収納され、かつ、前記脚の上下方向への移動をロックした状態で前記脚に下方から垂直な力が加わった時に前記ロックピースの凹凸部が前記脚の凹凸部に噛み合う方向に回転し、
前記係合を維持する手段は、反発力により前記ロックピースをその凹凸部が前記脚の摺動軸部の凹凸部と係合する方向に回動させる圧縮バネからなり、
前記ロックピースは、略くの字形状で、該くの字の一方に前記複数段の凹凸部を形成した係合部を設けると共に、前記くの字の中心に前記回動軸を設け、さらに前記くの字の他方に前記圧縮バネが取り付けられるバネ座が突設された天板を設けてなることを特徴とする機器用調整脚。
【発明の詳細な説明】
【０００１】
【発明の属する技術分野】
本発明は、洗濯機やプロジェクタ（投影機）等の電子・電気機器を、床面や机上に設置する場合に、機器の傾きや高さを調節するために使用される機器用調整脚に関する。
【０００２】
【従来の技術】
従来、洗濯機等の機器の高さを調整するため多用されている方法としては、ナットをゆるめ、ボルトを回して高さ調整をしてナットを締め付ける方法が上げられるが、高さ調整作業に手間がかかる欠点があった。
【０００３】
そこで簡便な作業で高さ調整が行える調整脚として、特開平２−７４２９８号公報に記載された発明が存在する。このものは、図８、図９（解離時）、および図１０に示すように、機器８１の下部位に設けた脚軸受８２と、この脚軸受８２に上下動自在に設けられ、脚用バネ８３により常時下方に付勢された脚８４と、前記脚軸受８２に回動自在に装着された調整ツマミ８５を備え、前記脚軸受８２円周部に上下に延びる複数の割溝８６を形成し、拡開可能な分壁８７を形成するとともに、前記脚軸受８２の分壁８７の外周部に上下に延びる複数の第１のリブ８８を設け、また前記調整ツマミ８５内部を多角形に形成するとともに、その内面に上下に延びる複数の第２のリブ８９を設け、前記脚軸受８２の分壁８７外径部を前記調整ツマミ８５内径部で囲み前記調整ツマミ８５の回動により、前記分壁８７が移動して脚軸受８２内径を大小変化させるとともに、前記調整ツマミ８５は前記第１および第２のリブ間の当接によってその回転角度が規制される構成とし、前記調整ツマミ８５の回転角度規制時には、前記脚軸受内部９０が径小となって（調整ツマミ８５内径部９１で脚軸受８２の分壁８７を強制的に弾性変形させて）、前記脚８４の上下方向の移動を阻止するように構成されているものである。
【０００４】
【発明が解決しようとする課題】
しかしながら、この従来の調整脚では、脚が落下した時等の衝撃（主に脚の長手方向に対し直角な方向すなわち水平方向の衝撃）に耐えるように脚軸部を金属製のボルトで構成し、接地安定性を増すためインサート成形などによりボルトの頭部に樹脂を被着していた。また、ボルトは抜け止め部材を取り付けるための二次加工（溝形成等）や、見栄えを良くするため機器の色に応じた塗装をする必要もあった。そのため、金属ボルトを用いた脚は、製作に手間がかかるから、コストが高くなる欠点があった。また、金属製のボルトを用いた脚は重量が重くなる欠点もあった。
【０００５】
本発明は上記のような問題点を解消するためになされたものであって、衝撃に耐える強度を落とすことなくコストが削減できかつ、軽量な機器用調整脚を提供することを目的とする。
【０００６】
【課題を解決するための手段】
本発明は、その目的を達成するため次のような構成を採用している。
【０００７】
つまり、本発明の調整脚は、機器外枠の下部に上下方向に移動可能に配設され、下方に接地部を形成し上方に外周にネジ等の凹凸部を設けた摺動軸部を形成した脚と、該脚の上下方向への移動をロック（阻止）する手段と、そのロックを解除する手段とを備えた調整脚において、前記脚の摺動軸部を、ポリカーボネート等の機械的強度を有する樹脂にて外周部を構成するとともに芯材として長尺状の金属シャフトを挿入、または圧入し、収納した構成としたものである。
【０００８】
また、前記脚の上下方向への移動を阻止する手段は、脚の摺動軸部を軸支孔に挿通させる取付用ケースと、前記脚の摺動軸部の凹凸部と係合する凹凸部を複数段備えたロックピースと、前記脚の摺動軸部の凹凸部とロックピースの凹凸部との係合を維持する手段とからなり、前記ロックピースは、回動支点の中心を前記摺動軸部の中心からずらして前記取付用ケース内に回転可能に収納され、かつ、前記脚の上下方向への移動をロックした状態で前記脚に下方から垂直な力が加わった時に前記ロックピースの凹凸部が前記脚の凹凸部に噛み合う方向に回転する構成とすることが望ましい。
さらに、前記係合を維持する手段は、反発力により前記ロックピースをその凹凸部が前記脚の摺動軸部の凹凸部と係合する方向に回動させる圧縮バネからなり、前記ロックピースは、略くの字形状で、該くの字の一方に前記複数段の凹凸部を形成した係合部を設けると共に、前記くの字の中心に前記回動軸を設け、さらに前記くの字の他方に前記圧縮バネが取り付けられるバネ座が突設された天板を設けてなる構成とすることが望ましい。
【０００９】
【発明の実施の形態】
次に本発明に係る機器用調整脚の実施の形態（以下、「実施例」という）を添付図面に基づいて説明する。
【００１０】
【実施例】
図１は機器用調整脚の分解斜視図を示すものであり、図２は機器用調整脚を組み立てた状態の正面図であり、図３は脚の断面図であり、図４、図５は機器用調整脚を組み立てた状態の断面図であり、図４はロック時を、図５はロック解除時を示す。
【００１１】
機器用調整脚１は、機器２の底部に設けた取付孔３に挿通され取り付けられる取付用ケース４と、該取付用ケース４に軸支され、取付用ケース４内に回転可能に収納されるロックピース５と、取付用ケース４の開口部１１から取付用ケース４外部に突出して取付用ケース４内に摺動可能に設けられる押しボタン６と、取付用ケース４とロックピース５に設けたバネ座８，９との間に嵌装され、前記ロックピ−ス５を後述する脚１０の凹凸部１８と係合する方向に押圧する圧縮バネ７と、取付用ケース４、ロックピース５、押しボタン６に同心的に設けた各軸支孔１２，１３，１４および切り欠き１５に上下動自在に挿通支持される脚１０とからなる。
【００１２】
前記脚１０は、下方に径大の接地部１６を設け、上方に摺動軸部１７を設け、該摺動軸部１７外周にネジ等の凹凸部１８を形成し、摺動軸部１７の先端には抜け止めのＥリング１９を取り付けるため、溝部２０を形成している。
【００１３】
この脚１０は、樹脂により成形した摺動軸部１７と接地部１６の上部２１とからなる脚本体２２と、接地部１６の下部からなるパット２５とからなり、摺動軸部１７の長手方向には、あらかじめ設けられた貫通孔２３に芯材となる長尺状の金属シャフト２４を配設している（図３参照）。貫通孔２３は上部が径小の段２６になっていて、金属シャフト２４を脚本体２２の下部から段２６に向けて貫通孔２３に挿入、または圧入した後、パット２５を両面テープや接着剤により取り付け、封をして金属シャフト２４を芯材として脚に収納している。
【００１４】
上記樹脂は機械的強度に優れたエンジニアリングプラスチックが望ましく、例えばポリカーボネート、ポリアミド、ポリアセタール、ＰＢＴ及びそれらにガラス繊維を含有させたものがあげられる。脚本体２２とパット２５は、樹脂で成形するからドライカラーを混ぜることなどにより塗装することなく機器に合わせた色で着色した成形品を短時間に安価に得ることができる。この安価な脚本体２２に安価な金属シャフト２４を芯材として収納することにより、手間がかからず安価に脚１０を製造することができる。摺動軸部１７の外周部を機械的強度に優れた樹脂で構成し、芯材に金属を備えた構成にしているので、衝撃強度を保ちながら、上記説明のように量産性が良く、コストダウンや軽量化が実現できる。
【００１５】
脚１０の摺動軸部１７の凹凸部１８は台形ネジの形状が望ましい。通常ネジ山の形状はメートルネジのように先端が鋭角になるように傾斜しているとともに、ネジの径が小さくなるほどリード角が立ってくるため、脚を回して微調整を行う時に、ネジの径が小さくなるほどネジの凹凸部とその凹凸部と噛み合うロック部材との係合が外れやすくなる。これに対し、脚１０の凹凸部１８を台形形状とすることにより、脚１０の凹凸部１８と後述するロックピース５の凹凸部３９との係合が外れにくくしている。さらにネジ（凹凸部１８）のリード角を緩やかになるよう形成することによっていっそう凹凸部１８と凹凸部３９との係合が外れにくくしている。また、摺動軸部１７の上部は非凹凸部２７にして、可動範囲を超えて回したときに空転させて破損が生じさせないようにしている。
【００１６】
取付用ケース４は、長手方向（上下方向）に機器２の取付孔３にその外周が嵌る角筒部２８を備え、角筒部２８の下方に角筒部２８より拡大され、一側面が開口部１１となる箱状のケース本体２９を形成している。このケース本体２９には、開口部１１側を前方、開口部１１から奥に向かう方向を後方とすると、その上部両側面３３、３４後方（奥）に後述するロックピース５の回転軸３１が軸支される一対の軸受孔３０を形成している。さらに、ケース本体２９の下部内側に後述する押しボタン６を案内する第一のガイド溝３２を設けるとともに、ケース本体２９両側面３３，３４下部前方に、押しボタン６に設けた弾性係止片３５の係止突起３６が係合する係止孔３７を設けている。
【００１７】
なお、取付用ケース４の底部内側前方に、圧縮バネ７を取り付けるバネ座８を上に向け突設している。
【００１８】
前記ロックピース５は、略くの字形状で、くの字の一方（下部）に半割筒状の中央部に複数段の凹凸部３９を形成した係合部３８を設け、くの字の中心（上部後方）に両側に一対の回転軸３１、３１を設け、くの字の他方（上部）に軸支孔１４を有する天板４０を設けてなる。天板４０の前端には下向きにバネ座９を突設している。
【００１９】
各回転軸３１，３１の後方先端（取付用ケース４への挿入側先端）には、傾斜面４９を設けるとともに、取付用ケース４には、回転軸３１を軸受孔３０に導く第二のガイド溝５０、５０を設け、さらに取付用ケース４にはケース本体２９が撓みやすいように複数の細巾の孔５１、５１，５１，５１を設けて、取付用ケース４にロックピース５が容易に収納できるようにしている。
【００２０】
前記押しボタン６は、押動部４１と反対側に軸心に前記脚の摺動軸部１７を挿通する切り欠き１５を有する摺動部４２を備えている。該摺動部４２には、側面部の両面長手方向に取付用ケース４の第一のガイド溝３２に嵌るガイド突起４３を形成するとともに、前述の取付用ケース４の係止孔３７に係止する係止突起３６を有する一対の弾性係止片３５を形成している。また、摺動部４２の（一対の）後端部（取付用ケース４への挿入側先端部）４５は、ロックピース５の係合部３８の下部前端部４６に当接するように形成し、押しボタン６を押し込むことによりロックピース５を回動させることができるように形成している。なお、切り欠き１５には、圧縮バネ７と接触しないようにするため第二の切り欠き４８を形成している。
【００２１】
次に、本発明実施例に示す機器用調整脚の使い方について説明する。本発明の機器用調整脚を機器に取り付ける場合には、まず、ロックピース５を回転軸３１が取付用ケース４の軸受孔３０に嵌るように回転軸３１、３１と第二のガイド溝５０，５０の位置を合わせて取付用ケース４に押し込んで収納し、続いてロックピース５のバネ座９と取付用ケース４のバネ座８との間に圧縮バネ７を取り付ける。その後、押しボタン６を、摺動部４２のガイド突起４３を第一のガイド溝３２、３２に沿って取付用ケース４後方に向け摺動させ、弾性係止片３５の係止突起３６をケース本体２９の係止孔３７に係合させて、取付用ケース４に収納しておく。
【００２２】
その後で、あらかじめ金属シャフト２４を芯材として取り付けた脚１０の摺動軸部１７を、前記取付用ケース４、ロックピース５、押しボタン６に同心的に設けた各軸支孔および切り欠き１２、１３、１４、１５に上下動自在に挿通し、それから抜け止め用にＥリング１９を脚１０の先端溝部２０に取り付ける。それから、取付用ケース４の角筒部２８を下方から機器２の取付孔３に押し込み、角筒部２８に設けたスナップフィット４６と取付孔３の凹部４７と係合させて、押しボタン６や仮固定した脚１０ごと機器に固定し、機器用調整脚１の取り付けが完了する。なお、機器への取り付け手段は、このスナップフィット方式に限らず例えばネジ止め等適宜手段を選択して講ずればよい。
【００２３】
この時、図４に示したように、ロックピース５は圧縮バネ７の反発力により、係合部３８の凹凸部３９を脚１０の摺動軸部１７の凹凸部１８と係合する方向に回動するから、両凹凸部３９、１８が係合してロックした状態にある。このロックした状態で、前記ロックピース５の回動軸（回動支点）３１、３１の中心を摺動軸部１７の中心からずらしているので、凹凸部３９が脚１０の凹凸部１８に噛み合う方向に力がかかるから、脚に下方から垂直な力が加わった時ロックピースが回転しようとすることを防ぐ効果がある。
【００２４】
続いて機器用調整脚１の高さを調整するには、手（指）で押動部４１を押して押しボタン６を押し込むと、押しボタン６の後端部４５がロックピースの下部前端部４６を押して、圧縮バネ７の反発力に逆らってロックピース５が回動し、凹凸部３９と凹凸部１８の係合が外れて、図５に示したようにロックが解除される。
【００２５】
高さを調整した後、押しボタン６から手（指）を離すと、ロックピース５は圧縮バネ７の反発力により、回動し、係合部３８の凹凸部３９と脚１０の凹凸部１８が係合して（復元して）、再び図４に示すようにロック固定される。微調整が必要な場合には脚１０を回して調整を行う。
【００２６】
機器の場所を変えたりして調整脚１の高さを変更する場合には、前述の動作と同様に押しボタン６を押し込んでロック解除し、高さを再度合わせてから押しボタン６から手（指）を離して、押しボタン６を元の位置に戻してロックすれば良い。
【００２７】
上記第一実施例においては、押しボタン６と押しボタン６の前後方向への摺動により回転するロックピース５との組み合わせを示したが、押しボタン６に代えてレバー５６でも良い。その例を図６、図７に示す。図６はロック固定時の正面図であり、図７はロック解除時の正面図である。
【００２８】
この第二実施例の機器用調整脚は、押しボタン６に代えて上下方向に回動するレバー５６を設けたもので、さらに前記ロックピース５と同様の構造のロックピース５５をレバー５６に一体化している。ロック固定手段や、その他の構成は前記第一実施例と同様である。図６に示すロック固定状態から機器用調整脚の高さを調整するには、レバー５６を圧縮バネ７の反発力に逆らって上向きに回動させると、ロックピース５５は回動して、脚摺動軸部１７の凹凸部１８とロックピース５５の係合部３９との係合が外れて、図７に示すようにロックが解除され、高さ調整ができるようになる。
【００２９】
なお、上記実施例において、脚本体２２に金属シャフト２４を取り付ける場合、脚本体２２に段２６付きの貫通孔２３を設けて、脚本体２２の下方から貫通孔２３に金属シャフト２４を差し込みパット２５で蓋をして、金属シャフト２４が抜けないようにしていたが、これに限られるわけではなく、金属シャフト２４が抜けない構造であれば良い。例えば、貫通孔に金属シャフト２４等の長尺状金属部材を圧入して固定しても良いし、接着剤で固定しても良いし、あるいは貫通孔にアンダーカットを設けて金属シャフト２４等の長尺状金属部材が抜けないようにしても良い。
【００３０】
なお、上記実施例において、摺動軸部１７の抜け止め手段は、摺動軸部１７先端にＥリング１９を装着するものを示したが、これに限られるわけではなく、Ｅリング１９に代えて例えば摺動軸部１７先端にピンを差し込んでも良いし、ネジやワッシャーを組み合わせても良いし、あるいは摺動軸部１７先端にスナップフィットを設けても良い。
【００３１】
【発明の効果】
本発明は上記のように構成されているので、次に記載する効果を奏する。
【００３２】
本発明によれば、脚の摺動軸部を、外周部を機械強度に優れた樹脂で構成し、芯材として長尺状の金属シャフトを圧入し、収納した構成にしているので、衝撃強度を保ちながら、量産性が良く、コストダウンや軽量化が実現できる機器用調整脚を提供することができる。
【００３３】
さらに、ロックピースの回動支点と脚の摺動軸部の中心とをずらしているので、ロックピースの係合部は脚の凹凸部に噛み合う方向に力がよりかかるから、脚に下方から垂直な力が加わった時ロックピースが回転しようとすることを防ぐ効果がある。
【図面の簡単な説明】
【図１】本発明の実施例を示す分解斜視図である。
【図２】本発明の実施例を示す組み立てた状態の正面図である。
【図３】本発明の脚の断面図である。
【図４】本発明の実施例を示す組み立てた状態のロック時の断面図である。
【図５】本発明の実施例を示す組み立てた状態のロック解除時の断面図である。
【図６】本発明の第二実施例を示す組み立てた状態のロック時の断面図である。
【図７】本発明の第二実施例を示す組み立てた状態のロック解除時の断面図である。
【図８】従来技術の一実施例の使用状態を示す断面図である。
【図９】従来技術の一実施例の使用状態を示す脚解放時の平面断面図である。
【図１０】従来の技術の一実施例の使用状態を示す脚固定時の平面断面図である
【符号の説明】
１    調整脚
２    機器
４    ケース
５    ロックピース
６    押しボタン
１０  脚
１６  接地部
１７  摺動軸部
１８  凹凸部
２４  金属シャフト
３１  回動軸（回動支点）
３９  凹凸部
【図１】
0003789312.tif 000002
【図２】
0003789312.tif 000003
【図３】
0003789312.tif 000004
【図４】
0003789312.tif 000005
【図５】
0003789312.tif 000006
【図６】
0003789312.tif 000007
【図７】
0003789312.tif 000008
【図８】
0003789312.tif 000009
【図９】
0003789312.tif 000010
【図１０】
0003789312.tif 000011